(57)【要約】【課題】低価格のドライバで多くの階調レベルの表示を可能としつつ、フリッカの発生を防止することが可能な表示駆動装置及び表示装置、並びにそのための表示駆動方法を提供すること。【解決手段】ＤＡＣ部２５に入力された表示データが示す階調レベルが、階調電圧生成部２４が生成不能な階調レベルに対応している場合には、階調電圧生成部２４が生成可能な複数の階調電圧を選択的に供給する。階調電圧の供給時間の比を適切に設定することで、時間平均として表示画素に所望の階調電圧が供給される。【選択図】図６
2009217044.tif 000002
【特許請求の範囲】
【請求項１】
表示画素をデジタル信号の表示データに基づいて駆動する表示駆動装置において、
前記表示データが取り得る階調レベルよりも少ない複数の階調電圧を生成する階調電圧生成手段と、
前記表示データが入力され、前記入力された表示データによって示される階調レベルが前記階調電圧生成手段によって生成可能な階調電圧に対応している場合には、前記入力された表示データに対応した階調電圧を前記生成された複数の階調電圧の中から選択して前記表示画素に供給し、前記入力された表示データによって示される階調レベルが前記階調電圧生成手段によって生成不能な階調電圧に対応している場合には、所定期間の時間平均として前記入力された表示データに対応した階調電圧が供給されるように前記生成された複数の階調電圧の中の少なくとも２種の階調電圧を選択的に前記表示画素に供給する階調電圧選択手段と、
を具備することを特徴とする表示駆動装置。
【請求項２】
前記所定期間が１水平期間であることを特徴とする請求項１に記載の表示駆動装置。
【請求項３】
前記階調電圧生成手段は、前記入力された表示データによって示される階調レベルが前記階調電圧生成手段によって生成不能な階調電圧に対応している場合には、前記入力された表示データに応じて、前記少なくとも２種の階調電圧の前記表示画素への供給時間の比を変化させることを特徴とする請求項１または２に記載の表示駆動装置。
【請求項４】
前記少なくとも２種の階調電圧は、前記表示画素の等価容量と前記表示画素に接続された信号ラインの抵抗とによって算出される時定数に基づいて決定される周波数で交互に前記表示画素に供給されることを特徴とする請求項１から３の何れかに記載の表示駆動装置。
【請求項５】
複数の走査ライン及び複数の信号ラインの各交点近傍に配列された複数の表示画素を有する表示パネルをデジタル信号の表示データに基づいて駆動して画像表示を行う表示装置において、
前記複数の走査ラインに走査信号を順次出力して前記表示画素を順次選択状態に設定する走査側駆動手段と、
前記選択状態に設定された表示画素に前記表示データに対応した映像信号を出力する信号側駆動手段と、
を具備し、
前記信号側駆動手段は、前記表示データが取り得る階調レベルよりも少ない複数の階調電圧を生成する階調電圧生成手段と、
前記表示データが入力され、前記入力された表示データによって示される階調レベルが前記階調電圧生成手段によって生成可能な階調電圧に対応している場合には、前記入力された表示データに対応した階調電圧を前記生成された複数の階調電圧の中から選択して前記表示画素に供給し、前記入力された表示データによって示される階調レベルが前記階調電圧生成手段によって生成不能な階調電圧に対応している場合には、所定期間の時間平均として前記入力された表示データに対応した階調電圧が供給されるように前記生成された複数の階調電圧の中の少なくとも２種の階調電圧を選択的に前記表示画素に供給する階調電圧選択手段と、
を有することを特徴とする表示装置。
【請求項６】
表示画素をデジタル信号の表示データに基づいて駆動する表示装置において、
所定数の階調電圧を生成する階調電圧生成手段と、
前記表示データが入力され、前記入力された表示データによって示される階調レベルが前記階調電圧生成手段によって生成される階調電圧の何れかに対応している場合には、前記入力された表示データに対応した階調電圧を前記生成された複数の階調電圧の中から選択して前記表示画素に供給し、前記入力された表示データによって示される階調レベルが前記階調電圧生成手段によって生成される階調電圧の何れにも対応していない場合には、所定期間の時間平均として前記入力された表示データに対応した階調電圧が供給されるように前記生成された複数の階調電圧の中の少なくとも２種の階調電圧を選択的に前記表示画素に供給する階調電圧選択手段と、
を具備することを特徴とする表示装置。
【請求項７】
表示データが取り得る階調レベルよりも少ない複数の階調電圧を生成し、
前記表示データを入力し、
前記入力された表示データによって示される階調レベルが、前記生成が可能な階調電圧に対応している場合には、前記入力された表示データに対応した階調電圧を前記生成された複数の階調電圧の中から選択して表示画素に供給し、前記入力された表示データによって示される階調レベルが、前記生成が不能な階調電圧に対応している場合には、所定期間の時間平均として前記入力された表示データに対応した階調電圧が供給されるように前記生成された複数の階調電圧の少なくとも２種の階調電圧を選択的に前記表示画素に供給する、
ことを特徴とする表示駆動方法。
【発明の詳細な説明】
【技術分野】
【０００１】
本発明は、表示データの取りえる階調レベルよりも少ない階調電圧を生成して表示を行う表示駆動装置及び表示装置、並びにそのための表示駆動方法に関する。
【背景技術】
【０００２】
従来、液晶表示装置等の表示装置において階調表示を行うための方式の１つとしてフレームレート制御（ＦＲＣ）方式が知られている。ＦＲＣ方式は、表示装置において生成可能な階調レベルよりも多くの階調レベルの表示を行うための手法である。このＦＲＣ方式は、１周期を複数フレームによって構成しておき、各表示画素に表示させる階調レベルをフレーム毎に変化させることにより、１周期の平均として所望の階調レベルの表示が見えるようにする駆動方式である。このようなＦＲＣ方式により、低価格のドライバを用いて多くの階調レベルの表示を行うことが可能となる。
【０００３】
ここで、ＦＲＣ方式においては、中間階調の表示を行う際に各表示画素の階調レベルを時間的に変化させる必要があるため、フリッカが発生しやすい。このようなＦＲＣ方式におけるフリッカの影響を低減する提案は各種なされている（例えば、特許文献１参照）。
【特許文献１】特開２００６−１１９１１７号公報
【発明の開示】
【発明が解決しようとする課題】
【０００４】
ここで、特許文献１等ではフリッカの影響を低減することはできるが、フリッカの発生そのものをなくすことはできない。
【０００５】
本発明は、上記の事情に鑑みてなされたもので、低価格のドライバで多くの階調レベルの表示を可能としつつ、フリッカの発生を防止することが可能な表示駆動装置及び表示装置、並びにそのための表示駆動方法を提供することを目的とする。
【課題を解決するための手段】
【０００６】
上記の目的を達成するために、本発明の第１の態様の表示駆動装置は、表示画素をデジタル信号の表示データに基づいて駆動する表示駆動装置において、前記表示データが取り得る階調レベルよりも少ない複数の階調電圧を生成する階調電圧生成手段と、前記表示データが入力され、前記入力された表示データによって示される階調レベルが前記階調電圧生成手段によって生成可能な階調電圧に対応している場合には、前記入力された表示データに対応した階調電圧を前記生成された複数の階調電圧の中から選択して前記表示画素に供給し、前記入力された表示データによって示される階調レベルが前記階調電圧生成手段によって生成不能な階調電圧に対応している場合には、所定期間の時間平均として前記入力された表示データに対応した階調電圧が供給されるように前記生成された複数の階調電圧の中の少なくとも２種の階調電圧を選択的に前記表示画素に供給する階調電圧選択手段とを具備することを特徴とする。
【０００７】
また、上記の目的を達成するために、本発明の第２の態様の表示装置は、複数の走査ライン及び複数の信号ラインの各交点近傍に配列された複数の表示画素を有する表示パネルをデジタル信号の表示データに基づいて駆動して画像表示を行う表示装置において、前記複数の走査ラインに走査信号を順次出力して前記表示画素を順次選択状態に設定する走査側駆動手段と、前記選択状態に設定された表示画素に前記表示データに対応した映像信号を出力する信号側駆動手段とを具備し、前記信号側駆動手段は、前記表示データが取り得る階調レベルよりも少ない複数の階調電圧を生成する階調電圧生成手段と、前記表示データが入力され、前記入力された表示データによって示される階調レベルが前記階調電圧生成手段によって生成可能な階調電圧に対応している場合には、前記入力された表示データに対応した階調電圧を前記生成された複数の階調電圧の中から選択して前記表示画素に供給し、前記入力された表示データによって示される階調レベルが前記階調電圧生成手段によって生成不能な階調電圧に対応している場合には、所定期間の時間平均として前記入力された表示データに対応した階調電圧が供給されるように前記生成された複数の階調電圧の中の少なくとも２種の階調電圧を選択的に前記表示画素に供給する階調電圧選択手段とを有することを特徴とする。
【０００８】
また、上記の目的を達成するために、本発明の第３の態様の表示装置は、表示画素をデジタル信号の表示データに基づいて駆動する表示装置において、所定数の階調電圧を生成する階調電圧生成手段と、前記表示データが入力され、前記入力された表示データによって示される階調レベルが前記階調電圧生成手段によって生成される階調電圧の何れかに対応している場合には、前記入力された表示データに対応した階調電圧を前記生成された複数の階調電圧の中から選択して前記表示画素に供給し、前記入力された表示データによって示される階調レベルが前記階調電圧生成手段によって生成される階調電圧の何れにも対応していない場合には、所定期間の時間平均として前記入力された表示データに対応した階調電圧が供給されるように前記生成された複数の階調電圧の中の少なくとも２種の階調電圧を選択的に前記表示画素に供給する階調電圧選択手段と、を具備することを特徴とする。
【０００９】
さらに、上記の目的を達成するために、本発明の第４の態様の表示駆動方法は、表示データが取り得る階調レベルよりも少ない複数の階調電圧を生成し、前記表示データを入力し、前記入力された表示データによって示される階調レベルが、前記生成が可能な階調電圧に対応している場合には、前記入力された表示データに対応した階調電圧を前記生成された複数の階調電圧の中から選択して表示画素に供給し、前記入力された表示データによって示される階調レベルが、前記生成が不能な階調電圧に対応している場合には、所定期間の時間平均として前記入力された表示データに対応した階調電圧が供給されるように前記生成された複数の階調電圧の少なくとも２種の階調電圧を選択的に前記表示画素に供給することを特徴とする。
【発明の効果】
【００１０】
本発明によれば、低価格のドライバで多くの階調レベルの表示を可能としつつ、フリッカの発生を防止することが可能な表示駆動装置及び表示装置、並びにそのための表示駆動方法を提供することができる。
【発明を実施するための最良の形態】
【００１１】
以下、図面を参照して本発明の実施形態を説明する。  
図１は、本発明の一実施形態に係る表示駆動装置を適用した表示装置の構成を示す図である。図１に示す表示装置１は、表示パネル１０と、信号ドライバ（信号側駆動手段）２０と、走査ドライバ（走査側駆動手段）３０と、ＲＧＢデコーダ４０と、共通電圧発生回路５０と、コントローラ６０と、電源電圧発生回路７０とを有している。
【００１２】
表示パネル１０は、行方向に配設された複数の走査ラインと、列方向に配設された複数の信号ラインとを備え、走査ラインと信号ラインとの各交点近傍に図２に示す表示画素が設けられて構成されている。
【００１３】
図２は、表示パネル１０に設けられる１つの表示画素の等価回路を示す図である。図２に示す走査ラインＧには薄膜トランジスタ（ＴＦＴ）１１のゲート電極が接続され、信号ラインＳにはＴＦＴ１１のソース電極が接続されている。さらに、ＴＦＴ１１のドレイン電極には画素電極１２と補助容量１４の一方の電極とが接続されている。そして、共通電極１３と補助容量１４の他方の電極とは共通信号ラインＣに接続されている。さらに、画素電極１２と共通電極１３との間には液晶が充填され、液晶層を構成している。このような構成の表示画素において、画素電極１２と共通電極１３との間に電圧が印加されると、この電圧の値に応じて画素電極１２と共通電極１３との間に充填された液晶の配向状態が変化して液晶層中における光の透過率が変化する。これにより、図２に示す表示画素の背面等に配置された図示しない光源からの光の透過状態が変化して画像表示が行われる。
【００１４】
信号ドライバ２０は、図２の信号ラインＳが接続され、コントローラ６０から出力される水平制御信号（クロック信号ＳＣＫ、スタート信号ＳＴＨ、ラッチ動作制御信号ＳＴＢ等）に基づいて、ＲＧＢデコーダ４０から供給されるＲ（赤）、Ｇ（緑）、Ｂ（青）の各色の表示データを１行単位で取り込み、この取り込んだ表示データに対応する階調電圧を選択して信号ラインＳに供給する。この信号ドライバ２０については後述する。
【００１５】
走査ドライバ３０は、図２の走査ラインＧが接続され、コントローラ６０からの垂直制御信号を受け、１行分のＴＦＴ１１をオンするための走査信号を各走査ラインＧに順次印加して、ＴＦＴ１１をオン状態とし、信号ラインＳと交差する位置の表示画素における画素電極１２に、信号ドライバ２０から信号ラインＳを介して供給された階調電圧を印加する。
【００１６】
ＲＧＢデコーダ４０は、例えば表示装置１の外部から供給される映像信号（例えばコンポジットビデオ信号）から水平同期信号Ｈ、垂直同期信号Ｖ、及び輝度・色差信号を抽出してコントローラ６０に供給するとともに、輝度・色差信号からＲ、Ｇ、Ｂの各色の表示データを生成して信号ドライバ２０に出力する。
【００１７】
共通電圧発生回路５０には、図２の共通信号ラインＣが接続されている。この共通電圧発生回路５０は、共通電圧Ｖｃｏｍを生成して、共通信号ラインＣに印加する。
【００１８】
コントローラ６０は、垂直同期信号Ｖを受けて垂直制御信号を生成し、生成した垂直制御信号を走査ドライバ３０に出力する。また、コントローラ６０は、ＲＧＢデコーダ４０からの水平同期信号Ｈを受けて水平制御信号を生成して信号ドライバ２０に出力する。
【００１９】
電源電圧発生回路７０は、信号ドライバ２０において階調電圧を生成するための電源電圧ＶＬ及びＶＨを生成して信号ドライバ２０に供給する。
【００２０】
次に、図１のような構成を有する表示装置１の動作について説明する。  
ＲＧＢデコーダ４０から垂直同期信号Ｖが供給されるとコントローラ６０において垂直制御信号が生成される。この垂直制御信号は走査ドライバ３０に出力される。走査ドライバ３０は、垂直制御信号が入力されて、１行分のＴＦＴ１１をオンするための走査信号を各走査ラインＧに順次印加する。
【００２１】
また、ＲＧＢデコーダ４０から水平同期信号Ｈが供給されるとコントローラ６０において水平制御信号が生成されて信号ドライバ２０に出力される。また、これに伴って、ＲＧＢデコーダ４０から表示データが出力される。信号ドライバ２０は、水平制御信号を受けてＲＧＢデコーダ４０からの表示データを取り込み、この取り込んだ表示データに対応する階調電圧を選択して対応する信号ラインＳに印加する。
【００２２】
走査ラインＧに走査信号が印加されると、走査ラインＧと信号ラインＳとの交点付近に設けられたＴＦＴ１１がオンし、オンしたＴＦＴ１１を介して表示画素の画素電極１２と補助容量１４とに信号ラインＳからの階調電圧が印加される。そして、この印加された階調電圧と共通電圧との差に応じた電圧が液晶層と補助容量とに保持される。液晶層に発生した電界の強さによって液晶の配向状態が変化して液晶層における光の透過率が変化する。これにより、図２に示す表示画素の背面等に配置された図示しない光源からの光の透過状態が変化して画像表示が行われる。なお、補助容量１４は、液晶に印加されている電圧を次の階調電圧の印加時まで保持しておくために設けられている。
【００２３】
次に、信号ドライバ２０についてさらに説明する。図３は、本実施形態における信号ドライバ２０の構成を示す図である。図３に示す信号ドライバ２０は、シフトレジスタ部２１と、データレジスタ部２２と、データラッチ部２３と、階調電圧生成部２４と、デジタルアナログコンバータ（ＤＡＣ）部２５とを有している。
【００２４】
シフトレジスタ部２１は、コントローラ６０からのスタート信号ＳＴＨをクロック信号ＳＣＫに従って順次シフトさせ、タイミング信号としてデータレジスタ部２２に出力する。
【００２５】
データレジスタ部２２は、ＲＧＢデコーダ４０から１表示画素分の表示データ（図３ではｍbitの表示データ）が順次入力され、シフトレジスタ部２１からのタイミング信号に同期してＲＧＢデコーダ４０から入力される表示データを順次取り込む。
【００２６】
データラッチ部２３は、コントローラ６０からのラッチ動作制御信号ＳＴＢを受ける毎にデータレジスタ部２２に保持された表示データを一斉に取り込み、取り込んだ表示データＤ１〜Ｄｐを、ＤＡＣ部２５の各表示画素に対応するＤＡＣに出力する。
【００２７】
階調電圧生成部２４は、表示データが取りうる階調レベルの数ｎ（＝２ｍ）よりも少ない階調レベルに応じたｌ個（ｌ＜ｎ）の階調電圧を生成してＤＡＣ部２５に供給する。
【００２８】
階調電圧選択手段としてのＤＡＣ部２５は、信号ラインＳの数に対応したｐ個のデジタルアナログコンバータを有している。それぞれのＤＡＣは、データラッチ部２３から入力される表示画素毎の表示データが示す階調レベルとなるように階調電圧生成部２４で生成された階調電圧を選択して対応する信号ラインＳに出力する。
【００２９】
図４は、階調電圧生成部２４及びＤＡＣ部２５の構成を示す図である。  
図４に示すように、階調電圧生成部２４は、抵抗部２４１と、階調アンプ部２４２とを有している。
【００３０】
抵抗部２４１は、ｌ−１個の抵抗Ｒ１〜Ｒｌ−１を有し、これら抵抗Ｒ１〜Ｒｌ−１が直列に接続されて構成されている。各抵抗Ｒ１〜Ｒｌ−１は、電源電圧発生回路７０から供給される電圧ＶＨと電圧ＶＬとの間に発生する電圧を分割してｌ個の階調電圧を生成する。
【００３１】
階調アンプ部２４２は、抵抗部２４１によって生成されるｌ個の階調電圧にそれぞれ対応したｌ個の階調アンプＡＭＰ１〜ＡＭＰｌを有している。各階調アンプＡＭＰ１〜ＡＭＰｌは、バッファ回路として動作し、抵抗部２４１の各抵抗間に発生する階調電圧をそれぞれ増幅する。
【００３２】
また、ＤＡＣ部２５は、信号ラインＳの数に対応したｐ個のＤＡＣ（ＤＡＣ１〜ＤＡＣｐ）を有している。各ＤＡＣは、スイッチ選択部２５１と、スイッチ部２５２とを有している。
【００３３】
スイッチ選択部２５１は、データラッチ部２３から入力される表示データを解析し、この解析結果に従って所望の階調電圧が得られるようにスイッチ部２５２の各スイッチのオンオフを制御する。スイッチ部２５２は、ｌ個の階調アンプＡＭＰ１〜ＡＭＰｌにそれぞれ対応したｌ個のスイッチＳＷ１〜ＳＷｌから構成されている。各スイッチは、スイッチ選択部２５１からの制御信号に従ってオン又はオフし、オン時に、対応する階調電圧を対応する信号ラインＳｐに供給する。
【００３４】
本実施形態では、階調電圧生成部２４において生成可能な階調電圧の数が表示データの取りうる階調レベルの数よりも少ない。スイッチ選択部２５１は、入力される表示データが階調電圧生成部２４において生成不能な階調電圧に対応している場合には、所定の期間の時間平均として所望の階調電圧が表示画素に供給されるように、スイッチ部２５２の各スイッチのオンオフ切り替えを行う。一方、ＲＧＢデコーダ４０から入力される表示データが階調電圧生成部２４において生成可能な階調電圧に対応している場合に、スイッチ選択部２５１は、その階調電圧に対応したスイッチをオンさせるように制御する。
【００３５】
図５は、階調電圧生成部２４において生成不能な階調電圧を階調電圧生成部２４において生成可能な２つの階調電圧で補間する場合の概念を示した図である。図５の例は、階調電圧生成部２４が、表示データの取り得る階調レベルの数ｎに対して、４階調レベル毎に対応する階調電圧を生成可能の例を示している。即ち、階調電圧生成部２４は、階調レベル１、５、９、…、（ｎ−８）、（ｎ−４）、ｎに対応した階調電圧を生成可能である。
【００３６】
図５の例において、階調レベル（ｎ−４）と階調レベルｎとの間の階調レベルである階調レベル（ｎ−３）、（ｎ−２）、（ｎ−１）に対応した階調電圧は、階調レベル（ｎ−４）に対応した階調電圧と階調レベルｎに対応した階調電圧とから補間する。また、階調レベル（ｎ−８）と階調レベル（ｎ−４）との間の階調レベルである階調レベル（ｎ−７）、（ｎ−６）、（ｎ−５）に対応した階調電圧は、階調レベル（ｎ−８）に対応した階調電圧と階調レベル（ｎ−４）に対応した階調電圧とから補間する。その他の階調電圧についても同様の考え方が適用される。
【００３７】
図６は、本実施形態の手法を用いて階調レベル（ｎ−２）に対応した階調電圧を表示画素に供給する際の概念を示した図である。本実施形態では、１水平期間内で、階調レベル（ｎ−４）に対応した階調電圧と階調レベルｎに対応した階調電圧とが交互に表示画素に供給されるようにスイッチの切り替えを行う。なお、１水平期間とは、１行分のＴＦＴ１１がオンしている期間である。階調レベル（ｎ−２）に対応した階調電圧は、階調レベル（ｎ−４）に対応した階調電圧の供給時間と階調レベルｎに対応した階調電圧の供給時間との比が１：１となるようにＤＡＣ部２５のスイッチ部２５２のスイッチ切り替えを行うことによって生成する。
【００３８】
ここで、本実施形態では、表示画素の構成を考慮してスイッチ部の切り替え周波数を設定することで、略直流の階調電圧が表示画素に供給されるようにする。
【００３９】
図７は、表示画素及び信号ラインのモデル図である。  
走査ラインＧに走査信号が供給されて表示画素のＴＦＴ１１がオンしたときには、表示画素を液晶容量等から構成される負荷容量とみなすことができる。また、信号ラインＳには配線抵抗が存在する。したがって、ＴＦＴ１１のオン時の表示画素及び信号ラインＳは、負荷抵抗に対して直列に負荷容量が接続されて構成された低域通過回路と考えることが可能である。
【００４０】
このように考えると、負荷抵抗の抵抗値Ｒと負荷容量の容量値Ｃとの積によって決まる時定数に対して十分速く（例えば１０倍程度）スイッチ部２５２の各スイッチの切り替えを行うことで、表示画素に供給される電圧を略直流の電圧とすることが可能である。例えば、抵抗値（配線抵抗）Ｒ＝４０ＫΩ、容量値（液晶容量と補助容量の合成容量）Ｃ＝３０ｐＦであった場合には、スイッチ部の切り替え周波数を８．３ＭＨｚ以上とすれば、表示画素に供給される電圧が略直流の電圧となる。
【００４１】
以上のような考えに基づいてスイッチ部２５２のスイッチ切り替えを行うことにより、ＤＡＣ部２５からの出力電圧は、図８の破線で示すものとなる。この電圧は、等価的な低域通過回路を介して表示画素に供給される。このときに表示画素に供給される電圧は、図８の実線で示すような、階調レベル（ｎ−２）に対応した略直流の電圧となる。
【００４２】
図９は、本実施形態の手法を用いて階調レベル（ｎ−１）に対応した階調電圧を表示画素に供給する際の概念を示した図である。階調レベル（ｎ−１）に対応した階調電圧は、図９（ａ）に示すように、階調レベル（ｎ−４）に対応した階調電圧の供給時間と階調レベルｎに対応した階調電圧の供給時間との比が１：３となるようにＤＡＣ部２５のスイッチ部の切り替えを行うことによって生成する。スイッチ部の切り替え周波数については階調レベル（ｎ−２）の場合と同様である。
【００４３】
図９（ａ）に示すようなスイッチ部の切り替えを行うことにより、ＤＡＣ部２５からの出力電圧は、図９（ｂ）の破線で示すものとなる。この電圧は、等価的な低域通過回路を介して表示画素に供給される。このときに表示画素に供給される電圧は、図９（ｂ）の実線で示すような、階調レベル（ｎ−１）に対応した略直流の電圧となる。
【００４４】
図１０は、本実施形態の手法を用いて階調レベル（ｎ−３）に対応した階調電圧を表示画素に供給する際の概念を示した図である。階調レベル（ｎ−３）に対応した階調電圧は、図１０（ａ）に示すように、階調レベル（ｎ−４）に対応した階調電圧の供給時間と階調レベルｎに対応した階調電圧の供給時間との比が３：１となるようにＤＡＣ部２５のスイッチ部の切り替えを行うことによって生成する。スイッチ部の切り替え周波数については階調レベル（ｎ−２）の場合と同様である。
【００４５】
図１０（ａ）に示すようなスイッチ部の切り替えを行うことにより、ＤＡＣ部２５からの出力電圧は、図１０（ｂ）の破線で示すものとなる。この電圧は、等価的な低域通過回路を介して表示画素に供給される。このときに表示画素に供給される電圧は、図１０（ｂ）の実線で示すような、階調レベル（ｎ−３）に対応した略直流の電圧となる。
【００４６】
以上説明したように、本実施形態によれば、階調電圧生成部２４で生成不能な階調電圧を、階調電圧生成部２４で生成可能な複数の階調電圧を用いて生成することが可能である。即ち、表示画素には、表示データの示す階調レベルに応じた階調電圧を実際に供給できる。したがって、本実施形態では、ＦＲＣ方式と異なりフリッカが生じることがない。
【００４７】
ここで、上述の実施形態では説明を簡単にするため、液晶の駆動等で必要な極性反転駆動に関する概念を省いている。しかしながら、本実施形態の手法は、表示データに対する階調電圧の対応を切り替えることで、各種の極性反転駆動に適用することが可能である。
【００４８】
以上実施形態に基づいて本発明を説明したが、本発明は上述した実施形態に限定されるものではなく、本発明の要旨の範囲内で種々の変形や応用が可能なことは勿論である。上述の例では、階調電圧生成部２４で生成不能な階調電圧を、階調電圧生成部２４で生成可能な２つの階調電圧を用いて補間しているが、３つ以上の階調電圧を用いて補間するようにしても良い。即ち、所定期間の時間平均として所望の階調電圧が得られるのであれば、任意の組み合わせの階調電圧を表示画素に供給して良い。
【００４９】
さらに、上記した実施形態には種々の段階の発明が含まれており、開示される複数の構成要件の適当な組合せにより種々の発明が抽出され得る。例えば、実施形態に示される全構成要件からいくつかの構成要件が削除されても、上述したような課題を解決でき、上述したような効果が得られる場合には、この構成要件が削除された構成も発明として抽出され得る。
【図面の簡単な説明】
【００５０】
【図１】本発明の一実施形態に係る表示駆動装置を適用した表示装置の構成を示す図である。
【図２】表示パネルに設けられる１つの表示画素の等価回路を示す図である。
【図３】信号ドライバの構成を示す図である。
【図４】階調電圧生成部及びＤＡＣ部の構成を示す図である。
【図５】階調電圧生成部において生成不能な階調電圧を階調電圧生成部において生成可能な２つの階調電圧で補間する場合の概念を示した図である。
【図６】本発明の一実施形態の手法を用いて階調レベル（ｎ−２）に対応した階調電圧を表示画素に供給する際の概念を示した図である。
【図７】表示画素及び信号ラインのモデル図である。
【図８】本発明の一実施形態の手法によって表示画素に供給される階調レベル（ｎ−２）に対応した階調電圧を示した図である。
【図９】本発明の一実施形態の手法を用いて階調レベル（ｎ−１）に対応した階調電圧を表示画素に供給する際の概念を示した図である。
【図１０】本発明の一実施形態の手法を用いて階調レベル（ｎ−３）に対応した階調電圧を表示画素に供給する際の概念を示した図である。
【符号の説明】
【００５１】
１０…表示パネル、２０…信号ドライバ、２１…シフトレジスタ部、２２…データレジスタ部、２３…データラッチ部、２４…階調電圧生成部、２４…階調アンプ部、２５…デジタルアナログコンバータ（ＤＡＣ）部、３０…走査ドライバ、４０…ＲＧＢデコーダ、５０…共通電圧発生回路、６０…コントローラ、７０…電源電圧発生回路、２５１…スイッチ選択部、２５２…スイッチ部
【図１】
2009217044.tif 000003
【図２】
2009217044.tif 000004
【図３】
2009217044.tif 000005
【図４】
2009217044.tif 000006
【図５】
2009217044.tif 000007
【図６】
2009217044.tif 000008
【図７】
2009217044.tif 000009
【図８】
2009217044.tif 000010
【図９】
2009217044.tif 000011
【図１０】
2009217044.tif 000012